(57)【要約】      （修正有）【課題】同時に複数のメモリーカード、特に規格の異なるメモリーカードを挿入収容することができるメモリーカードコネクタを提供する。【解決手段】所定規格のメモリーカードを挿入連結するためのインサート口を複数有するメモリーカードコネクタ１であって、前記複数のインサート口２０３、２０４は、一方向に開口が開けられた空間を有する枠体２が、少なくとも一枚の隔板２３によって該空間を互いに平行し且つそれぞれ前記一方向に開口している複数の収容空間に仕切るように構成されたことを特徴とする。【選択図】図２
0003101742.tif 000002
【実用新案登録請求の範囲】
【請求項１】
所定規格のメモリーカードを挿入連結するためのインサート口を複数有するメモリーカードコネクタであって、
前記複数のインサート口は、一方向に開口が開けられた空間を有する枠体が、少なくとも一枚の隔板によって該空間を互いに平行し且つそれぞれ前記一方向に開口している複数の収容空間に仕切るように構成されたことを特徴とするメモリーカードコネクタ。
【請求項２】
所定規格のメモリーカードを挿入連結するためのインサート口を二つ有するメモリーカードコネクタであって、
前記二つのインサート口は、一方向に開口が開けられた空間を有する枠体が、一枚の隔板によって該空間を互いに平行し且つそれぞれ前記一方向に開口している第１の収容空間と第２の収容空間とに仕切るように構成されており、
また、前記第１及び第２の収容空間内のそれぞれの一側壁に複数の所定規格の第１及び第２の導電端子が並列していて、挿入したメモリーカードと電気的に接続することができることを特徴とするメモリーカードコネクタ。
【請求項３】
前記枠体は、絶縁体であり、底板と、前記底板の２つの対称的な周辺からそれぞれ上へ延伸してなる２つの側板と、前記開口の反対方向に、前記底板と前記２つの側板とに連結している奥板とを有する内枠と、金属体であり、その上板が前記内枠における前記底板と前記２つの側板と前記奥板と共に囲んで前記空間を形成した外枠とからなり、
前記隔板は、前記空間を上下２つの空間に仕切り、該下空間を前記第１の収容空間とし、該上空間を前記第２の収容空間とするように前記空間内に設けられていることを特徴とする請求項１に記載のメモリーカードコネクタ。
【請求項４】
前記内枠の２つの前記側板は、それぞれ前記底板から前記隔板までに延伸してなる第１のセクションと、前記隔板から前記上板までに延伸してなる第２のセクションとに分けられており、
前記第１のセクションと前記第２のセクションとの一方は、他方より厚くてサイズの異なる２つのメモリーカードをそれぞれ前記第１の収容空間及び第２の収容空間に挿入することができることを特徴とする請求項２に記載のメモリーカードコネクタ。
【請求項５】
前記底板を前記第１の収容空間の前記側壁とし、且つ、該底板に複数の第１セットのスロットが前記一方向に沿うように開設されており、
前記奥板にそれぞれ前記複数の第１セットのスロットの一つと対応して互いに並列する複数の第１セットの通孔が開設されており、
また、前記複数の第１の導電端子それぞれは、両端を有する長尺体で、その一端が前記第１セットのスロットのそれと対応するスロット内の前記開口側の一端近くにあり他端が該スロット内の他端近くから延出して前記複数の第１セットの通孔中のそれと対応する一つを通過して前記枠体外へ延びるように前記スロット内に設けられており、
そして、前記隔板を前記第２の収容空間の前記側壁とし、且つ、該隔板に複数の第２セットのスロットが前記一方向に沿うように開設されており、
前記奥板にそれぞれ前記複数の第２セットのスロットの一つと対応して互いに並列する複数の第２セットの通孔が開設されており、
また、前記複数の第２の導電端子それぞれは、両端を有する長尺体で、その一端が前記第２セットのスロットのそれと対応するスロット内の前記開口側の一端近くにあり他端が該スロット内の他端近くから延出して前記複数の第２セットの通孔中のそれと対応する一つを通過して前記枠体外へ延びるように前記スロット内に設けられていることを特徴とする請求項３に記載のメモリーカードコネクタ。
【請求項６】
前記底板が前記第１の収容空間の前記側壁とされ、且つ、該底板に複数の第１セットのスロットが前記一方向に沿うように開設されており、
前記複数の第１の導電端子それぞれは、両端を有する長尺体で、その一端が前記第１セットのスロットのそれと対応するスロット内の前記開口側の一端近くから延出して前記第１の収容空間のインサート口を通過して前記枠体外へ延び他端が該スロット内の他端近くにあるように前記スロット内に設けられており、
そして、前記隔板が前記第２の収容空間の前記側壁とされ、且つ、該隔板に複数の第２セットのスロットが前記一方向に沿うように開設されており、
前記奥板にそれぞれ前記複数の第２セットのスロットの一つと対応して互いに並列する複数の通孔が開設されており、
また、前記複数の第２の導電端子それぞれは、両端を有する長尺体で、その一端が前記第２セットのスロットのそれと対応するスロット内の前記開口側の一端近くにあり他端が該スロット内の他端近くから延出して前記複数の通孔中のそれと対応する一つを通過して前記枠体外へ延びるように前記スロット内に設けられていることを特徴とする請求項３に記載のメモリーカードコネクタ。
【考案の詳細な説明】
【技術分野】
【０００１】
本考案はメモリーカードコネクタに関し、特に、同時に複数のメモリーカードを挿入連結することができるメモリーカードコネクタに関する。
【背景技術】
【０００２】
メモリーカードコネクタは、コンピュータやデジタルカメラ，ＰＤＡなどのデータ処理装置に設置されており、所定規格のメモリーカードを挿入してメモリーカードとデータ処理装置との間にデータを転送するためのものである。現在、市場上ではスマートメディア（登録商標）（Ｓｍａｒｔ Ｍｅｄｉａ Ｃａｒｄ）、メモリースティック（登録商標）（Ｍｅｍｏｒｙ Ｓｔｉｃｋ Ｃａｒｄ）、ＳＤメモリカード（登録商標）及び小型ＳＤ（miniＳＤ（登録商標））メモリカードなど多種多様な規格の異なるメモリーカードが現れて来ているので、従来の単一規格のメモリーカードを挿入するためのインサート口が一つ開けられたメモリーカードコネクタはもう実用ではない。
【０００３】
それに応じて、２つの異なる規格のメモリーカードを挿入することができるメモリーカードコネクタが開発されているが、従来のこのようなメモリーカードコネクタは、２つの異なる規格のメモリーカードが単一のインサート口を共用し、制御端子によってどの規格のメモリーカードを挿入するかと判断してからデータの転送を行うため、一旦一種のメモリーカードを挿入すると、他の規格のメモリーカードを挿入することができなくなり、同時に２つの規格の異なるメモリーカードを挿入することができないので、使用はまだまだ便利とは言えない。
【考案の開示】
【考案が解決しようとする課題】
【０００４】
上記に鑑みて、本考案の目的は、同時に複数のメモリーカード、特に規格の異なるメモリーカードを挿入収容することができるメモリーカードコネクタを提供しようとすることにある。
【課題を解決するための手段】
【０００５】
前記目的を達成するために、本考案は、所定規格のメモリーカードを挿入連結するためのインサート口を複数有するメモリーカードコネクタであって、前記複数のインサート口は、一方向に開口が開けられた空間を有する枠体が、少なくとも一枚の隔板によって該空間を互いに平行し且つそれぞれ前記一方向に開口している複数の収容空間に仕切るように構成されたことを特徴とするメモリーカードコネクタを提供する。
【考案の効果】
【０００６】
上記構成によるメモリーカードコネクタは、少なくとも一枚の隔板によってその枠体の一方向に開口が開けられた空間を、互いに平行し且つそれぞれ前記一方向に開口している複数の収容空間に仕切って複数のインサート口を形成したので、同時にメモリーカードを複数挿入することができる。このようなメモリーカードコネクタ構成を利用すると、必要に応じ、複数の規格の同じメモリーカードを同時に挿入収容することができるメモリーカードコネクタを製作することができ、複数の規格の異なるメモリーカードを同時に挿入収容するメモリーカードコネクタを製作することもできる。後者のメモリーカードコネクタについて、例を挙げれば、前記構成に更に前記複数の収容空間の例えばそのメモリーカードを受け入れる口ないしはそのすべての横断面のサイズをそれぞれ所定規格のメモリーカードと合わせて形成することだけで、該複数の収容空間によって別々に規格の異なるメモリーカードを挿入収容することができるようになさしめることができる。
【考案を実施するための最良の形態】
【０００７】
以下、図面を参照しながら、本考案に係るメモリーカードコネクタの好適な実施形態を説明する。先ず、図１及び図２に示すように、本考案の第１の実施形態のメモリーカードコネクタ１は、一方向に開口が開けられた空間を有する枠体２を備えている。この枠体２は、図３及び図４に示すように、絶縁体である内枠２１と金属体である外枠２２とからなっている。前記内枠２１は底板２１１と、前記底板２１１の２つの対称的な周辺からそれぞれ上へ延伸してなる２つの側板２１２と、前記開口の反対方向に、前記底板２１１と前記２つの側板２１２とに連結している奥板２１３とを有する。前記外枠２２は、図５及び図６に示すように、前記内枠２１における前記底板２１１と前記２つの側板２１２と前記奥板２１３と共に囲んで前記空間を形成した上板２２１と、前記内枠２１の２つの側板２１２を外からカバーするようにそれぞれ前記上板２２１の２つの対称的な周辺から前記底板２１１の方へ延伸してなる側板２２２とを有する。
【０００８】
そして、前記図２を前記図３及び前記図４と合わせて見ると、前記空間内に、隔板２３が設けられていて、該隔板２３によって前記空間を上下互いに平行し且つそれぞれ前記一方向に開口している第２の収容空間２０２と第１の収容空間２０１とに仕切って所定規格のメモリーカードを挿入連結するためのインサート口２０４，２０３が二つ形成されている。
【０００９】
そして、図７及び図８に示すように、前記内枠２１の２つの前記側板２１２は、それぞれ前記底板２１１から前記隔板２３までに延伸してなる第１のセクション２１２Ａと、前記隔板２３から前記上板２２１までに延伸してなる第２のセクション２１２Ｂとに分けられている。前記第２のセクション２１２Ｂは、前記第１のセクション２１２Ａより厚くにされている。つまり、前記第１の収容空間２０１の横断面のサイズが前記第２の収容空間２０２より小である。それにより、サイズの異なるＳＤメモリーカード９１及び小型ＳＤメモリーカード９２をそれぞれ前記第１の収容空間２０１及び第２の収容空間２０２に挿入収容することができる。
【００１０】
また、前記第１及び第２の収容空間２０１，２０２内のそれぞれの一側壁に複数の所定規格の第１及び第２の導電端子３，４が並列していて、挿入したメモリーカードと電気的に接続することができる。もっと詳しく説明すると、図３に示すように、前記底板２１１を前記第１の収容空間２０１の前記側壁とし、且つ、該底板２１１に複数の第１セットのスロット２１４が前記一方向に沿うように開設されている。前記奥板２１３にそれぞれ前記複数の第１セットのスロット２１４の一つと対応して互いに並列する複数の第１セットの通孔２１５が開設されている。また、前記図３を図９と合わせて見ると、前記複数の第１の導電端子３それぞれは、両端を有する長尺体で、その一端３１が前記第１セットのスロット２１６のそれと対応するスロット内の前記開口側の一端近くにあり、他端３２が該スロット内の他端近くから延出して前記複数の第１セットの通孔２１５中のそれと対応する一つを通過して前記枠体２外へ延びるように前記スロット内に設けられている。そして、図４に示すように、前記隔板２３を前記第２の収容空間２０２の前記側壁とし、且つ、該隔板２３に複数の第２セットのスロット２３１が前記一方向に沿うように開設されている。前記奥板２１３にそれぞれ前記複数の第２セットのスロット２３１の一つと対応して互いに並列する複数の第２セットの通孔２１６が開設されている。また、前記複数の第２の導電端子４それぞれは、両端を有する長尺体で、その一端４１が前記第２セットのスロット２３１のそれと対応するスロット内の前記開口側の一端近くにあり、他端４２が該スロット内の他端近くから延出して前記複数の第２セットの通孔２１６中のそれと対応する一つを通過して前記枠体外へ延びるように前記スロット内に設けられている。
【００１１】
また、前記内枠２１の前記２つの側板２１２にそれぞれメモリーカードの設定を検出、制御するための制御ばね板５が設けられている。
【００１２】
前記底板２１１、前記隔板２３及び前記上板２２１それぞれにおける前記奥板２１３を遠ざかった周辺に前記一方向の前記空間内の方へ窪んでなる凹陥部２１０，２３０，２２０が形成されている。それにより、メモリーカード９１，９２を前記インサート口２０３，２０４から抜出すことが容易になる。
【００１３】
前記内枠２１の２つの側板２１２にそれぞれ２つの突起６１が形成されており、前記外枠２２の側板２２２の前記突起６１と対応するところに係止槽６２が開設されている。前記外枠２１と前記内枠２２とは、前記突起６１と前記係止槽６２との係合によって互いに係止されている。
【００１４】
また、前記外枠２２の側板２２２の前記内枠２１の底板２１１に近いところに、接地、固定のための複数の接続部２２３が前記底板と平行するように、外へ延伸している。
【００１５】
前記外枠２２の上板２２１に、前記第２の収容空間２０２に突入していて前記隔板２３と合わせて前記メモリーカード９２を弾性的に挟持する弾性クリップ７が二つ設けられている。
【００１６】
本実施形態のメモリーカードコネクタ１は、前記隔板２３によってその枠体の一方向に開口が開けられた空間を、互いに平行し且つそれぞれ前記一方向に開口している第１の収容空間２０１と第２の収容空間２０２とに仕切って２つのインサート口２０３，２０４を形成している上、前記第１の収容空間２０１及び前記第２の収容空間２０２の横断面サイズが異なるので、同時に２つのサイズの異なるメモリーカードを挿入することができる。
【００１７】
次に、図１１及び図１２に示すのは、本考案に係るメモリーカードコネクタの第２の実施形態である。本実施形態の前記第１の実施形態と異なる点は、複数の第１の導電端子３Ａそれぞれは、その一端３１Ａが前記第１セットのスロット２１４のそれと対応するスロット内の前記開口側の一端近くから延出して前記第１の収容空間２０１のインサート口２０３を通過して前記枠体２外へ延び、他端が該スロット内の他端近くにあるように前記スロット内に設けられていることにある。また、底板２１１、隔板２３及び上板２２１における凹陥部２１０Ａ，２３０Ａ，２２０Ａのそれぞれの深さが前記第１実施形態より小である。このように、本実施形態のメモリーカードコネクタは前記第１の実施形態と同様に、同時に２つのサイズの異なるメモリーカードを挿入することができる。なお、本実施形態において、前記第１の実施形態と同じ構造は同一の符号を付して説明を省略する。
【００１８】
上述した実施形態において、同時にＳＤメモリーカード及び小型ＳＤメモリーカードを挿入することができるメモリーカードコネクタについて説明したが、本発明のメモリーカードコネクタによれば、少なくとも一枚の隔板によってその枠体の一方向に開口が開けられた空間を、互いに平行し且つそれぞれ前記一方向に開口している複数の収容空間に仕切って複数のインサート口を形成したので、同時にメモリーカードを複数挿入することができるため、このようなメモリーカードコネクタ構成を利用すると、必要に応じ、複数の規格の同じメモリーカードを同時に挿入収容することができるメモリーカードコネクタを製作することができ、複数の規格の異なるメモリーカードを同時に挿入収容するメモリーカードコネクタを製作することもできる。
【産業上の利用可能性】
【００１９】
上記のように、本考案は同時に複数のメモリーカード、特に規格の異なるメモリーカードを挿入収容することができるメモリーカードコネクタを提供することができる。
【図面の簡単な説明】
【００２０】
【図１】図１は、２つの規格の異なるメモリーカードを挿入した本考案の第１の実施形態のメモリーカードコネクタを示す斜視図である。
【図２】図２は、本考案の第１の実施形態のメモリーカードコネクタを示す斜視図である。
【図３】図３は、本考案の第１の実施形態のメモリーカードコネクタを示す示す部分断面斜視図である。
【図４】図４は、本考案の第１の実施形態のメモリーカードコネクタを示す部分斜視図である。
【図５】図５は、本考案の第１の実施形態のメモリーカードコネクタを示す他の斜視図である。
【図６】図６は、本考案の第１の実施形態のメモリーカードコネクタにおける外枠を示す斜視図である。
【図７】図７は、本考案の第１の実施形態のメモリーカードコネクタにおける第１の収容空間にメモリーカードを挿入した状態を示す斜視図である。
【図８】図８は、本考案の第１の実施形態のメモリーカードコネクタにおける第２の収容空間にメモリーカードを挿入した状態を示す斜視図である。
【図９】図９は、図７のIX−IXの断面図である。
【図１０】図１０は、図８のＸ−Ｘの断面図である。
【図１１】図１１は、本考案の第２の実施形態のメモリーカードコネクタを示す部分斜視図である。
【図１２】図１２は、本考案の第２の実施形態のメモリーカードコネクタを示す他の斜視図である。
【符号の説明】
【００２１】
１…メモリーカードコネクタ；２…枠体；２０１…第１の収容空間；２０２…第２の収容空間；２０３…第１のインサート口；２０４…第２のインサート口；２１…内枠；２１０…凹陥部；２１０Ａ…凹陥部；２１１…底板；２１２…側板；２１２Ａ…第１のセクション；２１２Ｂ…第２のセクション；２１３…奥板；２１４…第１のセットのスロット；２１５…第１のセットの通孔；２１６…第２のセットの通孔；２２…外枠；２２０…凹陥部；２２０Ａ…凹陥部；２２１…上板；２２２…側板；２２３…接続部；２３…隔板；２３０…凹陥部；２３０Ａ…凹陥部；２３１…第２のセットのスロット；３…第１の導電端子；３Ａ…第１の導電端子；３１…一端；３１Ａ…一端；３２…他端；４…第２の導電端子；４１…一端；４２…他端；５…制御板ばね；６１…突起；６２…係止槽；７…弾性クリップ；９１…ＳＤメモリーカード；９２…小型メモリーカード。
【図１】
0003101742.tif 000003
【図２】
0003101742.tif 000004
【図３】
0003101742.tif 000005
【図４】
0003101742.tif 000006
【図５】
0003101742.tif 000007
【図６】
0003101742.tif 000008
【図７】
0003101742.tif 000009
【図８】
0003101742.tif 000010
【図９】
0003101742.tif 000011
【図１０】
0003101742.tif 000012
【図１１】
0003101742.tif 000013
【図１２】
0003101742.tif 000014